(57)【要約】【課題】オゾンを適切に除去することのできる画像形成装置を提供すること。【解決手段】  第１流路Ｓ１と第２流路Ｓ２との間は第２フィルム８０によって遮蔽されている。そして、ファン６１を動作させると、第１流路Ｓ１においては、定着ユニット９の周囲の空気は、ダクト６２を介してファン６１に到達する。また、第２流路Ｓ２においては、スコロトロン型帯電器１７の動作により発生したオゾンが、スコロトロン型帯電器１７の周囲の空気とともに、フィルタ７０を通過し、ファン６１に到達する。このように、スコロトロン型帯電器１７の動作により発生したオゾンは空気とともにフィルタ７０を通過し、この際にフィルタ７０によって除去される。【選択図】図２
2014240908.tif 000002
【特許請求の範囲】
【請求項１】
装置本体と、
第１方向に延びる軸線を備える感光ドラムと、前記感光ドラムを帯電させるための帯電器と、を備えるドラムユニットと、
前記ドラムユニットに隣接し、記録媒体に画像を定着するように構成される定着ユニットと、
前記定着ユニットに隣接し、前記装置本体内に気流を発生させるように構成されるファンと、
前記装置本体内の空気に含まれるオゾンを除去するように構成されているフィルタと、
前記定着ユニットから前記ファンに向かう第１流路と、前記第１流路と隣接し、途中部に前記フィルタが配置され、かつ、前記帯電器から前記ファンに向かう第２流路との間に位置し、前記第１流路と前記第２流路との間を遮蔽する遮蔽部材と、を備えることを特徴とする画像形成装置。
【請求項２】
前記ファンは、前記装置本体内において前記第１方向の一方に位置し、
前記第２流路は、前記第１方向に沿って延び、前記第１方向の他方から一方に向かう流路を含むことを特徴とする請求項１に記載の画像形成装置。
【請求項３】
前記フィルタは、前記装置本体内において前記第１方向の一方に位置することを特徴とする請求項２に記載の画像形成装置。
【請求項４】
前記遮蔽部材は、前記第１方向に延びる細長形状を有し、可撓性を有することを特徴とする請求項２または３に記載の画像形成装置。
【請求項５】
前記ドラムユニットは、前記装置本体内において前記第１方向と直交する第２方向に沿って並ぶように複数備えられ、
前記定着ユニットは、複数のドラムユニットのうち、前記第２方向の一端部に位置するドラムユニットに隣接することを特徴とする請求項１ないし４のいずれか一項に記載の画像形成装置。
【請求項６】
前記複数のドラムユニットは前記装置本体に対して着脱可能であることを特徴とする請求項５に記載の画像形成装置。
【請求項７】
前記ドラムユニットは、前記遮蔽部材を備えていることを特徴とする請求項１ないし６のいずれか一項に記載の画像形成装置。
【請求項８】
前記装置本体は、前記遮蔽部材を備えていることを特徴とする請求項１ないし６のいずれか一項に記載の画像形成装置。
【請求項９】
前記定着ユニットは、前記遮蔽部材を備えていることを特徴とする請求項１ないし６のいずれか一項に記載の画像形成装置。
【発明の詳細な説明】
【技術分野】
【０００１】
本発明は、電子写真方式が採用される画像形成装置に関する。
【背景技術】
【０００２】
画像形成装置として、帯電している感光ドラムを露光してその表面上に静電潜像を形成した後、トナー像を形成し、さらにトナー像を用紙に転写することで用紙に画像を形成する電子写真方式のプリンタが知られている。
【０００３】
このようなプリンタは、定着ユニットとして、加熱ローラおよび加圧ローラを備えており、トナー像を転写した用紙を加熱ローラおよび加圧ローラの間を通過させることで、用紙に画像を熱定着させている。
【０００４】
加熱ローラは、内部に発熱体を備えており、発熱体の加熱により用紙に画像を熱定着する。このため、加熱ローラの周りの温度が上昇するため、換気ファンにより装置本体内を換気し、装置本体内の温度上昇を抑制している（例えば、特許文献１参照）。
【０００５】
また、このようなプリンタは、感光ドラムを帯電させるための帯電器を備えており、帯電器を動作させる際にはオゾンが発生する。そのため、フィルタを備えて、発生したオゾンをフィルタに通過させることにより除去するようにしている。
【先行技術文献】
【特許文献】
【０００６】
【特許文献１】特開２０１０−１２８０５３号公報
【発明の概要】
【発明が解決しようとする課題】
【０００７】
しかしながら、定着ユニットからは、換気ファンに向かう気流が発生するため、帯電器の動作により発生したオゾンがこの気流に乗って、フィルタに向かわずに換気ファンに向かうことがある。そのような場合には、オゾンがフィルタを通過せずに排気されるという不具合が生じる。
【０００８】
そこで、本発明の目的は、オゾンを適切に除去することのできる画像形成装置を提供することにある。
【課題を解決するための手段】
【０００９】
（１）上記目的を達成するために、本発明の画像形成装置は、装置本体と、上下方向と略直交する第１方向に延びる感光ドラムと、感光ドラムを帯電させるための帯電器とを有し、装置本体内において第１方向に沿って位置するカートリッジと、カートリッジの近傍に位置し、記録媒体に画像を定着するように構成される定着ユニットと、定着ユニットの近傍に位置し、装置本体内に気流を発生させるように構成されるファンと、定着ユニットの近傍からファンに向かう第１流路と、第１流路と隣接し、かつ、帯電器の近傍からファンに向かう第２流路との間に位置し、第１流路と第２流路との間を遮蔽する遮蔽部材と、第２流路の途中部に位置し、装置本体内の空気に含まれるオゾンを除去するように構成されているフィルタと、を備える。
【００１０】
このような構成によれば、第１流路と第２流路との間には遮蔽部材が位置するため、第１流路と第２流路との間を遮蔽部材により遮蔽し、第１流路内の気流と第２流路内の気流が合流することを抑制することができる。また、第２流路の途中部にはフィルタが位置する。そのため、帯電器の動作により発生したオゾンを、第２流路のみを通過させることによりフィルタに確実に通過させることができる。その結果、オゾンを適切に除去することができる。
（２）また、カートリッジは、装置本体内において前記上下方向および前記第１方向の両方と略直交する第２方向に沿って並ぶように複数備えられ、定着ユニットは、複数のカートリッジのうち、第２方向の一端部に位置するカートリッジの近傍に位置してもよい。
【００１１】
複数のカートリッジのうち、第２方向の一端部に位置するカートリッジの近傍に定着ユニットが位置するため、定着ユニットの近傍からファンに向かう第１流路と、このカートリッジに備えられた帯電器の近傍からファンに向かう第２流路とが近接する。この場合、第２流路内の気流が第１流路内の気流に合流してしまうと、帯電器の動作により発生したオゾンを第２流路内に位置するフィルタに通過させることができず、その結果、オゾンを適切に除去できない場合がある。
【００１２】
しかし、このような構成にすれば、第１流路と第２流路との間には遮蔽部材が位置するため、第１流路と第２流路との間を遮蔽部材により遮蔽し、第１流路内の気流と第２流路内の気流が合流することを抑制することができる。そのため、第２方向の一端部に位置するカートリッジに備えられた帯電器の動作により発生したオゾンを、フィルタに確実に通過させて適切に除去することができる。
（３）また、ファンは、装置本体内において第１方向の一方に位置し、第２流路は、第１方向に沿って延び、第１方向の他方から一方に向かう流路を含んでいてもよい。
【００１３】
このような構成によれば、第１方向に沿って位置するカートリッジに沿うように第２流路を形成することができる。そのため、簡易かつ確実に第２流路を形成することができる。
（４）また、フィルタは、装置本体内において第１方向の一方に位置していてもよい。
【００１４】
このような構成によれば、ファンおよびフィルタが装置本体内において第１方向の一方に位置するため、帯電器の動作により発生したオゾンを、ファンによって第１方向の一方に収集しつつ、フィルタに通過させて除去することができる。そのため、オゾンを効率的に除去することができる。
（５）また、遮蔽部材は、第１方向に延びる細長形状を有し、可撓性を有していてもよい。
【００１５】
このような構成によれば、本体装置内の形状にあわせて遮蔽部材を適度に撓ませることができる。そのため、第１流路と第２流路との間を遮蔽部材により適切に遮蔽することができる。
（６）また、カートリッジは、遮蔽部材を備えていてもよい。
【００１６】
このような構成によれば、カートリッジが装置本体から離脱した状態において、遮蔽部材をカートリッジに取り付けることができる。そのため、遮蔽部材を簡易に取り付けることができる。
（７）また、装置本体は、遮蔽部材を備えていてもよい。
【００１７】
このような構成によれば、装置本体に遮蔽部材を備えるため、遮蔽部材を常に一定位置に位置させることできる。そのため、遮蔽部材による第１流路と第２流路との遮蔽を確実に実現できる。
（８）また、定着ユニットは、遮蔽部材を備えていてもよい。
【００１８】
このような構成によれば、遮蔽部材および定着ユニットが一体的となって確実に第１流路を区画することができる。
【発明の効果】
【００１９】
本発明の画像形成装置では、オゾンを適切に除去することのできる画像形成装置を提供できる。
【図面の簡単な説明】
【００２０】
【図１】本発明の画像形成装置を適用したプリンタの中央断面図である。
【図２】図１に示すプリンタのプロセスユニット、換気部および第２フィルムを示す斜視図である。
【図３】本発明の第２実施形態のプリンタの中央断面図である。
【図４】本発明の第３実施形態のプリンタの中央断面図である。
【発明を実施するための形態】
【００２１】
＜第１実施形態＞
１．プリンタの全体構成
図１に示すように、画像形成装置の一例としてのプリンタ１は、横置きタイプのダイレクトタンデム型カラープリンタである。
【００２２】
なお、以下の説明において、プリンタ１の方向に言及するときには、プリンタ１を水平に載置した状態を上下の基準とする。すなわち、図１の紙面上方が上方であり、紙面下方が下方である。また、図１の紙面左方が前方であり、図１の紙面右方が後方である。また、プリンタ１を前方から見たときを左右の基準とする。すなわち、図１の紙面手前が右方であり、紙面奥が左方である。なお、前後方向は第２方向の一例であり、前方は第２方向の一方の一例であり、後方は第２方向の他方の一例である。また、左右方向は第１方向の一例であり、右方は第１方向の一方の一例であり、左方は第１方向の他方の一例である。
（１）本体ケーシング
プリンタ１は、略ボックス形状の装置本体の一例としての本体ケーシング２を備えている。本体ケーシング２は、本体開口部３と、トップカバー４と、仕切壁５１と、補強部材５２とを備えている。
【００２３】
本体開口部３は、本体ケーシング２の上壁に開口されている。トップカバー４は、その後端部を支点として本体開口部３を閉鎖する図１の実線に示す閉鎖位置と、本体開口部３を開放する仮想線に示す開放位置との間を揺動可能である。
【００２４】
トップカバー４は、後方部分において、側面視略Ｖ字形状に窪む排紙トレイ３２を有している。
【００２５】
仕切壁５１は、本体ケーシング２の左右方向のすべてにわたって延びる略板形状であって、排紙トレイ３２の下方に位置している。仕切壁５１は、後述するブラックプロセスユニット６Ｋと定着ユニット９との間を仕切るように、上下方向に沿って位置している。
【００２６】
仕切壁５１は、第１補助仕切壁９５と第２補助仕切壁９６とを備えている。第１補助仕切壁９５は、本体ケーシング２の左右方向のすべてにわたって延びる略板形状であって、仕切壁５１から延びて排紙トレイ３２に当接している。第２補助仕切壁９６は、本体ケーシング２の左右方向のすべてにわたって延びる略板形状であって、仕切壁５１から延びて後述する定着フレーム４２に当接している。
【００２７】
補強部材５２は、略円筒形状を有し、後述するブラックプロセスユニット６Ｋの後方、かつ、仕切壁５１の前方に間隔を隔てて位置する。補強部材５２は、本体ケーシング２の左端および右端の間に架設されており、本体ケーシング２を補強している。
【００２８】
プリンタ１は、本体ケーシング２内において、給紙ユニット５と、複数、すなわち４個のプロセスユニット６と、複数、すなわち４個のＬＥＤユニット７と、転写ユニット８と、定着ユニット９とを備えている。
（２）給紙ユニット
給紙ユニット５は、本体ケーシング２の下方に位置している。給紙ユニット５は、内部に用紙を収容する給紙トレイ３０と、給紙トレイ３０の上方に位置するピックアップローラ１０と、ピックアップローラ１０の上方に位置する１対のレジストローラ１１と、を備えている。
（３）プロセスユニット
図１および図２に示すように、複数のプロセスユニット６は、本体ケーシング２の中央部において、前後方向に互いに間隔を隔てて並ぶように位置しており、本体ケーシング２内に着脱可能に装着されている。詳しくは、複数のプロセスユニット６は、その上端部がトップカバー４の下方に位置し、その下端部が後述する転写ユニット８の上方に位置している。
【００２９】
複数のプロセスユニット６は、トナーの色に対応して、たとえば、前方から後方に向けて、イエロープロセスユニット６Ｙ、マゼンタプロセスユニット６Ｍ、シアンプロセスユニット６Ｃおよびブラックプロセスユニット６Ｋである。複数のプロセスユニット６は、本体開口部３を介して本体ケーシング２に着脱可能である。
【００３０】
複数のプロセスユニット６のそれぞれは、ドラムユニットの一例としてのドラムカートリッジ１３と、現像カートリッジ１４とを備えている。
【００３１】
ドラムカートリッジ１３は、ドラムフレーム７８と、感光ドラム１６と、スコロトロン型帯電器１７と、クリーニングローラ１８とを備えている。
【００３２】
ドラムフレーム７８は、ドラム収容部７１と現像カートリッジ収容部７２とを備えている。
【００３３】
ドラム収容部７１は、ドラム前側上壁７７と、ドラム後側上壁７３と、第１フィルム８５と、１対のドラム側壁７４とを備えている。
【００３４】
ドラム前側上壁７７は、左右方向に延びる平板形状を有しており、側面視において、前上方から後下方に向けて傾斜している。
【００３５】
ドラム後側上壁７３は、左右方向に延び、後述するクリーニングローラ１８を囲むように、側面視において、前方に開口する略Ｕ字形状を有している。ドラム後側上壁７３は、その上端がドラム前側上壁７７の下端と連続している。
【００３６】
第１フィルム８５は、可撓性を有する樹脂フィルムであって、左右方向に延びる平面視略矩形状を有している。第１フィルム８５の前端部は、ドラム前側上壁７７とドラム後側上壁７３との間に取り付けられており、第１フィルム８５の後端部は、補強部材５２の前下方に間隔を隔てて位置している。第１フィルム８５は、側面視において、前端部が前下方、後端部が後上方となるように傾斜している。
【００３７】
１対のドラム側壁７４の一方は、ドラム前側上壁７７およびドラム後側上壁７３の右端と連続するように、前後方向に延びている。
【００３８】
１対のドラム側壁７４の他方は、ドラム前側上壁７７およびドラム後側上壁７３の左端と連続するように、前後方向に延びている。
【００３９】
現像カートリッジ収容部７２は、１対のカートリッジ側壁７５と、底壁７６とを備えている。
【００４０】
１対のカートリッジ側壁７５のそれぞれの後端は、１対のドラム側壁７４のそれぞれの前端と連続しており、前方に向かうにつれて上方に向かうようにして前後方向に延びている。
【００４１】
底壁７６は、１対のカートリッジ側壁７５の下端間に連続して架設されている。
【００４２】
感光ドラム１６は、左右方向に延びる略円筒形状を有し、１対のドラム側壁７４に回転可能に支持され、その下端部がドラム収容部７１から露出している。感光ドラム１６は、左右方向に延びる軸線を有している。
【００４３】
スコロトロン型帯電器１７は、感光ドラム１６の後上方に間隔を隔てて位置し、左右方向に延び、ドラム前側上壁７７に取り付けられている。
【００４４】
クリーニングローラ１８は、左右方向に延びる略円筒形状を有し、感光ドラム１６の後方において、１対のドラム側壁７４に回転可能に支持されている。クリーニングローラ１８は、ドラム後側上壁７３および１対のドラム側壁７４により区画される空間に収容されている。
【００４５】
現像カートリッジ１４は、現像カートリッジ収容部７２において、１対のカートリッジ側壁７５および底壁７６により区画された空間に着脱可能に収容されている。
【００４６】
現像カートリッジ１４は、現像フレーム２０と、現像ローラ２１と、供給ローラ２２と、層厚規制ブレード２５とを備えている。
【００４７】
現像フレーム２０は、左右方向に延びるボックス形状を有し、その内部にトナーを収容している。
【００４８】
現像ローラ２１は、現像フレーム２０の下端において、回転可能に支持されており、その後下端部が現像フレーム２０から露出して感光ドラム１６の前上端部と接触している。
【００４９】
供給ローラ２２は、現像ローラ２１の前上方に位置し、現像フレーム２０に回転可能に支持されていて、その後下端部が現像ローラ２１の前上端部と接触している。
【００５０】
層厚規制ブレード２５は、現像ローラ２１の後端部に接触しており、現像ローラ２１に供給されたトナーの厚みを規制するように構成されている。
（４）ＬＥＤユニット
複数のＬＥＤユニット７のそれぞれは、複数のプロセスユニット６のそれぞれの感光ドラム１６の上方に間隔を隔てて位置している。
（５）転写ユニット
転写ユニット８は、複数のプロセスユニット６の下方に位置している。転写ユニット８は、駆動ローラ２６と、従動ローラ２７と、搬送ベルト２８と、複数の転写ローラ２９とを備えている。
【００５１】
駆動ローラ２６は、ブラックプロセスユニット６Ｋの感光ドラム１６の後下方に位置している。駆動ローラ２６は、本体ケーシング２に回転可能に支持されている。
【００５２】
従動ローラ２７は、イエロープロセスユニット６Ｙの感光ドラム１６の前下方に位置している。従動ローラ２７は、本体ケーシング２に回転可能に支持されている。
【００５３】
搬送ベルト２８は、その上方部分が各感光ドラム１６に接触するようにして、各感光ドラム１６の下方に位置しており、駆動ローラ２６および従動ローラ２７の周りに掛け渡されている。搬送ベルト２８は、駆動ローラ２６の駆動および従動ローラ２７の従動により、その上方部分が前方から後方に向かって移動するように、周回移動する。
【００５４】
複数の転写ローラ２９のそれぞれは、搬送ベルト２８を挟んで複数の感光ドラム１６のそれぞれの下方に位置し、本体ケーシング２に回転可能に支持されている。複数の転写ローラのそれぞれは、搬送ベルト２８の下端部と接触している。
（６）定着ユニット
定着ユニット９は、ブラックプロセスユニット６Ｋおよび転写ユニット８の後方に位置している。定着ユニット９は、加熱ローラ４０と、加圧ローラ４１と、定着フレーム４２とを備えている。
【００５５】
加熱ローラ４０は、その内部に図示しない発熱体を備えており、発熱体が発する熱により記録媒体Ｐを加熱するように構成されている。
【００５６】
加圧ローラ４１は、加熱ローラ４０の後下方に位置し、その前上端部が加熱ローラ４０の後下端部と接触している。
【００５７】
加熱ローラ４０の軸線と加圧ローラ４１の軸線とを結ぶ線分が、定着フレーム４２から後述するダクト６２に対する投影方向と同一方向となるように、加熱ローラ４０と加圧ローラ４１とは相対配置されている。
【００５８】
定着フレーム４２は、加熱ローラ４０および加圧ローラを回転可能に支持している。また、定着フレーム４２は、上カバー４３と前カバー４４とを備えている。
【００５９】
上カバー４３は、加熱ローラ４０の上方に間隔を隔てて位置し、加熱ローラ４４の上方部分を覆うようにして左右方向に延び、その両端部が本体ケーシング２に固定されている。
【００６０】
前カバー４４は、加熱ローラ４４の前方に間隔を隔てて位置し、左右方向に延びる板形状を有している。前カバー４４は、上カバー４３の前端部に固定されている。
２．プリンタの動作
次に、プリンタの動作について説明する。
【００６１】
図１に示すように、本体ケーシング２の底部に位置するトレイ３０に収容されている記録媒体Ｐは、ピックアップローラ１０により１枚ごとに捌かれ、Ｕターンするように搬送されて、レジストローラ１１の駆動により、所定のタイミングで１枚ずつ、感光ドラム１６と搬送ベルト２８との間に給紙される。そして、搬送ベルト２８によって、各感光ドラム１６と各転写ローラ２９との間を前方から後方に向かって搬送される。
【００６２】
一方、現像フレーム２０内のトナーは、供給ローラ２２と現像ローラ２１との間で正極性に摩耗帯電され、層厚規制ブレード２５により、一定厚さの薄層として現像ローラ２１の表面に担持される。
【００６３】
一方、感光ドラム１８の表面は、感光ドラム１８の回転に伴って、図示しないスコロトロン型帯電器１７より一様に正帯電された後、ＬＥＤユニット７によって所定の画像データに基づいて露光される。これにより、記録媒体Ｐに形成すべき画像に対応した静電潜像が感光ドラム１６の表面に形成される。
【００６４】
現像ローラ２１の表面に担持され、かつ、正帯電されているトナーは、感光ドラム１６がさらに回転すると、感光ドラム１６の表面に形成されている静電潜像に供給される。これにより、感光ドラム１８の表面には、反転現像によるトナー像が担持される。
【００６５】
そして、記録媒体Ｐが、各感光ドラム１６と各転写ローラ２９との間を通過するときに、各転写ローラ２９に印加される転写バイアスにより、各感光ドラム１６上のトナー像が用紙Ｐに転写される。このとき、感光ドラム１６の表面に残ったトナーや紙粉はクリーニングローラ１８によって除去される。
【００６６】
記録媒体Ｐに転写されたトナー像は、記録媒体Ｐが加熱ローラ４０と加圧ローラ４１との間を通過する間に、加熱および加圧されることによって記録媒体Ｐに熱定着される。
【００６７】
その後、記録媒体Ｐは、上方に向かうに従って前方にＵターンするように搬送されて、トップカバー４の排紙トレイ３２に排紙される。
３．換気部の詳細
図１および図２に示すように、プリンタ１は、本体ケーシング２内において、換気部６０を備えている。
【００６８】
換気部６０は、本体ケーシング２内において、給紙トレイ３０の後方部分の上方、かつ、ブラックプロセスユニット６Ｋおよび定着ユニット９の下方に位置している。換気部６０は、ダクト６２と、ファン支持フレーム６３と、ファン６１と、フィルタ７０とを備えている。
【００６９】
ダクト６２は、加圧ローラ４１の後下方に位置している。ダクト６２は、左右方向に延びる略ボックス形状であって、右端面が開放された形状を有している。ダクト６２は、その周面に複数の換気孔６２ａを有している。
【００７０】
ファン支持フレーム６３は、ダクト６２および駆動ローラ２６の右方に位置し、上ビーム９１と下ビーム９２とを備えている。
【００７１】
上ビーム９１は、前後方向に延びており、その後端部がダクト６２の右端部に取り付けられている。
【００７２】
下ビーム９２は、上ビーム９１の下方において、上ビーム９１と平行するように前後方向に延びており、その後端部がダクト６２の右端部に取り付けられている。
【００７３】
ファン６１は、上ビーム９１および下ビーム９２の後端部に取り付けられている。ファン６１は、本体ケーシング２内において右方に位置し、ダクト６２と左右方向において隣接し、加熱ローラ４０と上下方向において隣接している。ファン６１は、後述する第２フィルム８０および定着ユニット９に対して後下方または下方に位置し、相対的に定着ユニット９の近くに位置している。
【００７４】
フィルタ７０は、上ビーム９１において、ブラックプロセスユニット６Ｋの右方に隣接し、かつ、ファン６１の前方に隣接するように取り付けられている。フィルタ７０は、略板形状を有し、厚み方向が上下方向に沿い、面方向が前後方向に沿うようにして、上ビーム９１の前後方向に沿って固定されている。フィルタ７０は、厚み方向に空気を通過させることができ、本体ケーシング２内に発生したオゾンを含む空気が通過する際にオゾンを除去するように構成されている。
４．フィルムの詳細
仕切壁５１には、遮蔽部材の一例としての第２フィルム８０が取り付けられている。
【００７５】
第２フィルム８０は、可撓性を有する樹脂フィルムであって、左右方向に延びる平面視略矩形状を有している。第２フィルム８０の後端部は、仕切壁５１の下端部に取り付けられ、第２フィルム８０の前端部は、ドラム収容部７１のドラム後側上壁７３に弾性的に当接している。これによって、第２フィルム８０は、前端部が前下方、後端部が後上方となるように傾斜して、仕切壁５１とドラム後側上壁７３との間に掛け渡されている。そして、第２フィルム８０は、仕切壁５１とともに、ブラックプロセスユニット６Ｋより前方の第２流路Ｓ２を含む空間と定着ユニット９より後方の第１流路Ｓ１を含む空間とを仕切っている。
５．第１流路および第２流路
第１流路Ｓ１は、第２フィルム８０および定着フレーム４２からダクト６２に投影した投影空間であって、第２フィルム８０と、仕切壁５１と、第２補助仕切壁９６と、定着フレーム４２と、駆動ローラ２６の後端部によって区画されている。また、第１流路Ｓ１は、ダクト６２内の空間を含んでいる。
【００７６】
第２流路Ｓ２は、第２フィルム８０と、仕切壁５１と、補強部材５２と、第１フィルム８５と、ドラム後側上壁７３とによって区画されている。また、第２流路Ｓ２は、フィルタ７０およびファン支持フレーム６３内の空間を含んでいる。第２流路Ｓ２は、第２フィルム８０を介して第１流路Ｓ１に隣接している。
【００７７】
このように、第２フィルム８０は、第１流路Ｓ１と第２流路Ｓ２１との間を遮蔽している。
６．ファンの動作および気流の流れ
ファン６１を動作させると、本体ケーシング２内に気流が生じ、本体ケーシング２内の空気がファン６１を介して図示しない排気口から本体ケーシング２の外方に排気される。
【００７８】
このとき、第１流路Ｓ１においては、定着ユニット９からファン６１に向かう第１気流Ｆ１が発生する。詳しくは、加熱ローラ４０の周囲の高温の空気は、加圧ローラ４１の周囲を通過してダクト６２に向かった後、複数の換気孔６２ａを介してダクト６２内に流入する。ダクト６２内に流入した空気は、左方から右方へ流れ、ファン６１に到達する。
【００７９】
また、第２流路Ｓ２においては、スコロトロン型帯電器１７からファン６１に向かう第２気流Ｆ２が発生する。詳しくは、スコロトロン型帯電器１７の動作により発生したオゾンは、スコロトロン型帯電器１７の周囲の空気とともに、第１フィルム８５の後方に到達した後、第２フィルム８０およびドラム後側上壁７３に沿うようにして左方から右方に流れ、第２流路Ｓ２の途中部に位置するフィルタ７０の上方に到達する。フィルタ７０の上方に到達した空気は、フィルタ７０を厚み方向に通過し、ファン支持フレーム６３の内方を前方から後方に流れ、ファン６１に到達する。
【００８０】
また、ブラックプロセスユニット６Ｋ以外のプロセスユニット６においては、スコロトロン型帯電器１７からファン６１に向かう第３気流Ｆ４が発生する。詳しくは、スコロトロン型帯電器１７の動作により発生したオゾンは、スコロトロン型帯電器１７の周囲の空気とともに、後方に位置するプロセスユニット６の前方に到達した後、左方から右方に流れ、さらに、後方に流れてフィルタ７０の上方に到達する。そして、フィルタ７０の上方に到達した空気は、第２気流Ｆ２と合流し、フィルタ７０を厚み方向に通過してファン６１に到達する。
【００８１】
このように、スコロトロン型帯電器１７の動作により発生したオゾンは空気とともにフィルタ７０を通過し、この際にフィルタ７０によって除去される。
【００８２】
そして、ファン６１に向かった第１気流Ｆ１、第２気流Ｆ２および第３気流Ｆ４の空気は、ファン６１によって気流Ｆ３として本体ケーシング２の外方に排気される。
７．作用効果
（１）このプリンタ１によれば、図１に示すように、第１流路Ｓ１と第２流路Ｓ２との間には第２フィルム８０が位置するため、第１流路Ｓ１と第２流路Ｓ２との間を第２フィルム８０により遮蔽し、第１流路Ｓ１の第１気流Ｆ１と第２流路Ｓ２の第２気流Ｆ２とが合流することを抑制することができる。また、第２流路Ｓ２の途中部にはフィルタ７０が位置する。そのため、スコロトロン型帯電器１７の動作により発生したオゾンを、第２流路Ｓ２のみを通過させることによりフィルタ７０に確実に通過させることができる。その結果、オゾンを適切に除去することができる。
（３）また、図１および図２に示すように、ファン６１は、本体ケーシング２内において右方に位置している。また、第２流路Ｓ２は、左右方向に延び、左方から右方に向かう流路を含んでいる。そのため、ドラム収容部７１のドラム前側上壁７７およびドラム後側上壁７３に沿うように第２流路Ｓ２を形成することができる。そのため、簡易かつ確実に第２流路Ｓ２を形成することができる。
（４）また、図２に示すように、ファン６１およびフィルタ７０が本体ケーシング２内において右方に位置するため、スコロトロン型帯電器１７の動作により発生したオゾンを、ファン６１によって右方に収集しつつ、フィルタ７０に通過させて除去することができる。そのため、オゾンを効率的に除去することができる。
（５）また、図１および図２に示すように、第２フィルム８０は、左右方向に延びる略細長矩形状を有し、可撓性を有している。そのため、第２フィルム８０を適度に撓ませてドラム収容部７１のドラム後側上壁７３に当接させることができる。その結果、第１流路Ｓ１と第２流路Ｓ２との間を第２フィルム８０により適切に遮蔽することができる。  
（６）また、図１および図２に示すように、第２フィルム８０は、仕切壁５１に取り付けられている。そのため、第２フィルム８０を常に一定位置に位置させることできる。その結果、第２フィルム８０による第１流路Ｓ１と第２流路Ｓ２との遮蔽を確実に実現し、第１気流Ｆ１と第２気流Ｆ２とが合流することを確実に抑制することができる。
＜第１実施形態の変形例＞
上記の説明においては、第２フィルム８０は、仕切壁５１に取り付けられているが、第２フィルム８０は、ドラム収容部７１のドラム後側上壁７３に取り付けられていてもよい。詳しくは、第２フィルム８０の前端部は、ドラム収容部７１のドラム後側上壁７３に取り付けられ、第２フィルム８０の後端部は、仕切壁５１の下端部に弾性的に当接してもよい。
【００８３】
このような構成によれば、第２フィルム８０は、ドラム収容部７１のドラム後側上壁７３に取り付けられているため、ブラックプロセスユニット６Ｋが本体ケーシング２から離脱した状態において、第２フィルム８０をドラム後側上壁７３に取り付けることができる。そのため、第２フィルム８０を簡易に取り付けることができる。
＜第２実施形態＞
以下に、第２実施形態について説明する。なお、図３において、既に説明した部材に関しては、同一の参照符号を付し、その説明を省略する。
【００８４】
第１実施形態では、第２フィルム８０が仕切壁５１に取り付けられるが、図３に示すように、第３フィルム８１が補強部材５２に取り付けられてもよい。
【００８５】
第３フィルム８１は、可撓性を有する樹脂フィルムであって、左右方向に延びる平面視略矩形状を有している。第３フィルム８１の後端部は、補強部材５２の後端部に取り付けられており、第３フィルム８１の前端部は、ドラム収容部７１のドラム後側上壁７３に弾性的に当接している。これによって、第３フィルム８１は、前端部が前下方、後端部が後上方となるように傾斜して、ドラム後側上壁７３と補強部材５２との間に掛け渡されている。
【００８６】
第２実施形態では、第２流路Ｓ２は、第３フィルム８１と、補強部材５２と、第１フィルム８５と、ドラム後側上壁７３とによって区画されている。
【００８７】
このように、第３フィルム８１は、第１流路Ｓ１と第２流路Ｓ２１との間を遮蔽している。
【００８８】
このような構成によれば、第１実施形態と同様に、第３フィルム８１を常に一定位置に位置させることできる。その結果、第３フィルム８１による第１流路Ｓ１と第２流路Ｓ２との遮蔽を確実に実現し、第１気流Ｆ１と第２気流Ｆ２とが合流することを確実に抑制することができる。
＜第２実施形態の変形例＞
上記の第２実施形態の説明においては、第３フィルム８１は、補強部材５２に取り付けられているが、第３フィルム８１は、ドラム収容部７１のドラム後側上壁７３に取り付けられてもよい。詳しくは、図３の点線で示すように、第３フィルム８１の下端部は、ドラム収容部７１のドラム後側上壁７３に取り付けられ、第３フィルム８１の上端部は、補強部材５２の前端部に弾性的に当接してもよい。
【００８９】
このような構成によれば、第３フィルム８１が補強部材５２の前端部に当接するため、第２流路Ｓ２を確実に区画することができる。
＜第３実施形態＞
以下に、第３実施形態について説明する。なお、図４において、既に説明した部材に関しては、同一の参照符号を付し、その説明を省略する。
【００９０】
第１実施形態では、第２フィルム８０の後端部が仕切壁５１に取り付けられ、第２フィルム８０の前端部がドラム収容部７１のドラム後側上壁７３に弾性的に当接するが、図４に示すように、第４フィルム８２の前端部がドラム収容部７１のドラム後側上壁７３に取り付けられ、第４フィルム８２の後端部が定着フレーム４２に当接してもよい。
【００９１】
第３実施形態では、定着フレーム４２は、突出板４５を備えている。突出板４５は、左右方向に延びる略板形状であって、上カバー４３の前端から前方に突出しており、前端部がドラム収容部７１のドラム後側上壁７３の後方に間隔を隔てて位置している。
【００９２】
第４フィルム８２は、可撓性を有する樹脂フィルムであって、左右方向に延びる平面視略矩形状を有している。第４フィルム８２の前端部は、ドラム収容部７１のドラム後側上壁７３に取り付けられており、第４フィルム８２の後端部は、突出板４５の前端部に弾性的に当接している。これによって、第４フィルム８２は、前端部が前下方、後端部が後上方となるように傾斜して、ドラム後側上壁７３と突出板４５との間に掛け渡されている。
【００９３】
第３実施形態では、第２流路Ｓ２は、第４フィルム８２と、定着フレーム４２と、第２補助仕切壁９６と、仕切壁５１と、補強部材５２と、第１フィルム８５と、ドラム後側上壁７３とによって区画されている。
【００９４】
このように、第４フィルム８２は、第１流路Ｓ１と第２流路Ｓ２１との間を遮蔽している。
【００９５】
このような構成によれば、第４フィルム８２が定着フレーム４２に当接するため、第１流路Ｓ１を定着フレーム４２と一体的に区画することができる。
＜第３実施形態の変形例＞
上記の第３実施形態の説明においては、第４フィルム８２は、ドラム収容部７１のドラム後側上壁７３に取り付けられているが、第４フィルム８２は、突出板４５に取り付けられてもよい。詳しくは、第４フィルム８２の後端部は、突出板４５の後端部に取り付けられ、第４フィルム８２の前端部は、ドラム収容部７１のドラム後側上壁７３に弾性的に当接してもよい。
【００９６】
このような構成によれば、第１実施形態と同様に、第４フィルム８２を常に一定位置に位置させることできる。その結果、第４フィルム８２による第１流路Ｓ１と第２流路Ｓ２との遮蔽を確実に実現し、第１気流Ｆ１と第２気流Ｆ２とが合流することを確実に抑制することができる。
【符号の説明】
【００９７】
１      プリンタ
２      本体ケーシング
９      定着ユニット
１２    プロセスユニット
１３    ドラムカートリッジ
１６    感光ドラム
１７    スコロトロン型帯電器
６１    ファン
７０    フィルタ
８０    第２フィルム
８１    第３フィルム
８２    第４フィルム
Ｓ１    第１流路
Ｓ２    第２流路
【図１】
2014240908.tif 000003
【図２】
2014240908.tif 000004
【図３】
2014240908.tif 000005
【図４】
2014240908.tif 000006